(57)【要約】【課題】  風圧による頭部からの離脱を防止する機能を有すると共に、型崩れを生じ難く、しかも簡単な工程で製造することができる帽子を提供する。【解決手段】  クラウン部１の周囲にひさし部２を設けた帽子において、ひさし部２を内周側に位置する内側ひさし部材３と外周側に位置する外側ひさし部材４とから構成し、内側ひさし部材３の外縁部に弾性モノフィラメントからなる保形リング５を挿入し、外側ひさし部材４の内縁部に弾性モノフィラメントからなる他の保形リング６を挿入すると共に、外側ひさし部材４をその一部が内側ひさし部材３と重なるように配置し、内側ひさし部材３及び外側ひさし部材４のうちの一方を周方向に沿って起伏させながら内側ひさし部材３及び外側ひさし部材４のうちの他方に対して間欠的に縫合し、内側ひさし部材３と外側ひさし部材４との間に非縫合部分からなる複数の通気路９を設ける。【選択図】  図１
2016211122.tif 000002
【特許請求の範囲】
【請求項１】
クラウン部の周囲にひさし部を設けた帽子において、前記ひさし部を内周側に位置する内側ひさし部材と外周側に位置する外側ひさし部材とから構成し、前記内側ひさし部材の外縁部に弾性モノフィラメントからなる保形リングを挿入し、前記外側ひさし部材の内縁部に弾性モノフィラメントからなる他の保形リングを挿入すると共に、前記外側ひさし部材をその一部が前記内側ひさし部材と重なるように配置し、前記内側ひさし部材及び前記外側ひさし部材のうちの一方を周方向に沿って起伏させながら前記内側ひさし部材及び前記外側ひさし部材のうちの他方に対して間欠的に縫合し、前記内側ひさし部材と前記外側ひさし部材との間に非縫合部分からなる複数の通気路を設けたことを特徴とする帽子。
【請求項２】
前記外側ひさし部材を周方向に沿って起伏させながら前記内側ひさし部材に対して間欠的に縫合したことを特徴とする請求項１に記載の帽子。
【請求項３】
前記外側ひさし部材をその一部が前記内側ひさし部材の上側に重なるように配置したことを特徴とする請求項１又は２に記載の帽子
【請求項４】
前記外側ひさし部材の外縁部に弾性モノフィラメントからなる更に他の保形リングを挿入したことを特徴とする請求項１〜３のいずれかに記載の帽子。
【発明の詳細な説明】
【技術分野】
【０００１】
本発明は、クラウン部の周囲にひさし部を設けた帽子に関し、更に詳しくは、風圧による頭部からの離脱を防止する機能を有すると共に、型崩れを生じ難く、しかも簡単な工程で製造することができる帽子に関する。
【背景技術】
【０００２】
クラウン部の周囲にひさし部を設けた帽子は、クラウン部により頭部を保護することに加えて、ひさし部によって日差しを遮ることができるため広く普及している。しかしながら、このような帽子はひさし部の下側から強い風圧を受けた際に頭部から離脱し易いという欠点を有している。
【０００３】
これに対して、クラウン部とひさし部との間に複数の通風孔を設け、これら通風孔を介して風を逃がすことが提案されている（例えば、特許文献１参照）。このような通風孔を設けた場合、通風孔を通して風が抜けるため、風圧により頭部から帽子が離脱するのを防止することができる。
【０００４】
しかしながら、上述した帽子では、クラウン部とひさし部との間に複数の通風孔を設けているため、クラウン部とひさし部との一体性が乏しくなり、その結果、帽子全体としての立体形状を維持することが難しくなり、型崩れを生じ易いという問題がある。しかも、通風孔を形成するために布帛を複雑な形状に加工する必要があるため、その製造工程が煩雑である。
【先行技術文献】
【特許文献】
【０００５】
【特許文献１】特開平１０−６０７２４号公報
【発明の概要】
【発明が解決しようとする課題】
【０００６】
本発明の目的は、風圧による頭部からの離脱を防止する機能を有すると共に、型崩れを生じ難く、しかも簡単な工程で製造することができる帽子を提供することにある。
【課題を解決するための手段】
【０００７】
上記目的を達成するための本発明の帽子は、クラウン部の周囲にひさし部を設けた帽子において、前記ひさし部を内周側に位置する内側ひさし部材と外周側に位置する外側ひさし部材とから構成し、前記内側ひさし部材の外縁部に弾性モノフィラメントからなる保形リングを挿入し、前記外側ひさし部材の内縁部に弾性モノフィラメントからなる他の保形リングを挿入すると共に、前記外側ひさし部材をその一部が前記内側ひさし部材と重なるように配置し、前記内側ひさし部材及び前記外側ひさし部材のうちの一方を周方向に沿って起伏させながら前記内側ひさし部材及び前記外側ひさし部材のうちの他方に対して間欠的に縫合し、前記内側ひさし部材と前記外側ひさし部材との間に非縫合部分からなる複数の通気路を設けたことを特徴とするものである。
【発明の効果】
【０００８】
本発明では、ひさし部を内周側に位置する内側ひさし部材と外周側に位置する外側ひさし部材とから構成し、内側ひさし部材の外縁部に弾性モノフィラメントからなる保形リングを挿入し、外側ひさし部材の内縁部に弾性モノフィラメントからなる他の保形リングを挿入すると共に、外側ひさし部材をその一部が内側ひさし部材と重なるように配置し、内側ひさし部材及び外側ひさし部材のうちの一方を周方向に沿って起伏させながら内側ひさし部材及び外側ひさし部材のうちの他方に対して間欠的に縫合し、内側ひさし部材と外側ひさし部材との間に非縫合部分からなる複数の通気路を設けているので、これら通気路を介して風をひさし部の下側から上側へ逃がすことができる。従って、帽子が風圧により頭部から離脱するのを防止することができる。
【０００９】
また、通気路を内側ひさし部材と外側ひさし部材との間に配置しているので、ひさし部をクラウン部に対してしっかりと縫合することが可能である。そのため、クラウン部とひさし部との間に通風孔を設けた場合とは異なって、クラウン部とひさし部との一体性を十分に確保することが可能になるので、帽子全体としての立体形状を長期間にわたって維持することができ、型崩れを生じ難くすることができる。
【００１０】
更に、内側ひさし部材及び外側ひさし部材のうちの一方を周方向に沿って起伏させながら内側ひさし部材及び外側ひさし部材のうちの他方に対して間欠的に縫合することで、内側ひさし部材と外側ひさし部材との間に複数の通気路を設けているので、通気路を形成するために布帛を複雑な形状に加工する必要はなく、簡単な工程で帽子を製造することができる。
【００１１】
本発明においては、外側ひさし部材を周方向に沿って起伏させながら内側ひさし部材に対して間欠的に縫合することが好ましい。これにより、外側ひさし部材を支持する内側ひさし部材をより安定した構造とし、帽子の型崩れを効果的に防止することができる。
【００１２】
また、外側ひさし部材をその一部が内側ひさし部材の上側に重なるように配置することが好ましい。これにより、ひさし部の下側に回り込んだ風を通気路を介して円滑に通過させることができる。
【００１３】
外側ひさし部材の外縁部には弾性モノフィラメントからなる更に他の保形リングを挿入することが好ましい。これにより、外側ひさし部材の形状を安定化すると共に、風を通気路に向かって効果的に案内することができる。
【図面の簡単な説明】
【００１４】
【図１】本発明の実施形態からなる帽子を示す斜視図である。
【図２】図１の帽子を示す側面図である。
【図３】図１の帽子を示す平面図である。
【図４】図１の帽子の要部を一部切り欠いて示す斜視図である。
【図５】図４のＸ−Ｘ矢視断面図である。
【図６】図１の帽子を構成する内側ひさし部材と外側ひさし部材の縫合前の状態を示す平面図である。
【発明を実施するための形態】
【００１５】
以下、本発明の構成について添付の図面を参照しながら詳細に説明する。図１〜図６は本発明の実施形態からなる帽子を示すものである。
【００１６】
図１〜図３に示すように、本実施形態の帽子は、人の頭部を覆うように椀形状に形成されたクラウン部１と、該クラウン部１の周囲に縫合されたひさし部２とを備えている。ひさし部２はクラウン部１から放射状にせり出して環状をなしている。これらクラウン部１及びひさし部２は、合成繊維、綿、シルク等の布帛から構成されている。
【００１７】
ひさし部２は、その内周側に位置する内側ひさし部材３と、その外周側に位置する外側ひさし部材４とから構成されている。これら内側ひさし部材３と外側ひさし部材４は個別に縫製された部材である。図４及び図５に示すように、内側ひさし部材３の外縁部には弾性モノフィラメントからなる保形リング５を挿入されている。内側ひさし部材３の布帛は例えば二層構造になっており、その層間に挿入された保形リング５に位置ずれを生じないように二層構造の布帛が縫合されている。同様にして、外側ひさし部材４の内縁部には弾性モノフィラメントからなる他の保形リング６が挿入され、外側ひさし部材４の外縁部には弾性モノフィラメントからなる更に他の保形リング７が挿入されている。
【００１８】
保形リング５〜７の各々を構成する弾性モノフィラメントは、その両端部が互いに接合されて環状をなしている。その接合方法は特に限定されないが、例えば、環状に湾曲させた弾性モノフィラメントの両端部を突き合わせ、その両端部同士を溶着したり、環状に湾曲させた弾性モノフィラメントの両端部同士をオーバーラップさせ、その両端部をゴムチューブ又は樹脂チューブで一体的に固定したり、環状に湾曲させた弾性モノフィラメントの両端部同士をオーバーラップさせ、その両端部を束ねた状態で粘着テープを螺旋状に巻き付けたりすることが可能である。
【００１９】
また、保形リング５〜７の各々を構成する弾性モノフィラメントの材料としては、弾性を有する合成樹脂を使用することが好ましく、より具体的には、ポリエチレン、ナイロン、ポリプロピレン等を使用することができる。これら合成樹脂材料は、弾性を有しながら軽量であるため帽子全体としての軽量化に寄与し、かつ腐食しないため帽子をそのまま洗濯することができるという利点がある。弾性モノフィラメントの太さは特に限定されるものではないが、例えば、１．５ｍｍ〜４．０ｍｍの範囲にあれば良く、特に、２．５ｍｍ〜３．５ｍｍの範囲にあることが好ましい。また、弾性モノフィラメントの太さは適用部位に応じて互いに異ならせても良い。
【００２０】
図６に示すように、内側ひさし部材３と外側ひさし部材４はいずれも縫合前の状態において円形又は楕円形の輪郭を有している。外側ひさし部材４の縫合部位（縫合部８となる部位）での周長は内側ひさし部材３の縫合部位（縫合部８となる部位）での周長よりも長くなっている。このような内側ひさし部材３と外側ひさし部材４とを縫合するにあたって、図１〜図３に示すように、外側ひさし部材４はその一部が内側ひさし部材３の上側に重なるように配置され、外側ひさし部材４が周方向に沿って起伏しながら内側ひさし部材３に対して間欠的に縫合されている。つまり、外側ひさし部材４は内側ひさし部材３に対して当接と離間を繰り返すように周方向に沿って波状に起伏し、内側ひさし部材３と外側ひさし部材４とが互いに当接する部位において両者が縫合されている。その結果、内側ひさし部材３と外側ひさし部材４との縫合部８は周方向に沿って間欠的に形成されている。これにより、内側ひさし部材３と外側ひさし部材４との間には非縫合部分（縫合部８が存在しない部分）からなる複数の通気路９が形成されている。
【００２１】
上述した帽子では、ひさし部２を内周側に位置する内側ひさし部材３と外周側に位置する外側ひさし部材４とから構成し、内側ひさし部材３の外縁部に弾性モノフィラメントからなる保形リング５を挿入し、外側ひさし部材４の内縁部に弾性モノフィラメントからなる保形リング６を挿入すると共に、外側ひさし部材４をその一部が内側ひさし部材３の上側に重なるように配置し、外側ひさし部材４を周方向に沿って起伏させながら内側ひさし部材３に対して間欠的に縫合し、内側ひさし部材３と外側ひさし部材４との間に非縫合部分からなる複数の通気路９を設けているので、ひさし部２の下側に回り込んだ風を通気路９により逃がすことができる。そのため、帽子が風圧により頭部から離脱するのを防止することができる。なお、内側ひさし部材３と外側ひさし部材４とが互いに重なる部分に通気路９を設けた場合、ひさし部２により直射日光を確実に遮断することができるという利点もある。
【００２２】
ここで、内側ひさし部材３の外縁部に弾性モノフィラメントからなる保形リング５を挿入し、外側ひさし部材４の内縁部に弾性モノフィラメントからなる他の保形リング６を挿入することが必要である。このように内側ひさし部材３の外縁部に保形リング５を配置し、外側ひさし部材４の内縁部に他の保形リング６を挿入することにより、通気路９の開口状態が安定化し、良好な通気性を確保することができる。
【００２３】
また、上述した帽子では、通気路９を内側ひさし部材３と外側ひさし部材４との間に配置しているので、ひさし部２をクラウン部１に対してしっかりと縫合することができる。つまり、クラウン部１とひさし部２との間に通風孔が存在しないため、クラウン部１の全周囲にわたってクラウン部１とひさし部２とを縫合することができる。そのため、クラウン部１とひさし部２との間に通風孔を設けた場合とは異なって、クラウン部１とひさし部２との一体性を十分に確保することが可能になるので、帽子全体としての立体形状を長期間にわたって維持することができ、型崩れを生じ難くすることができる。
【００２４】
更に、上述した帽子では、外側ひさし部材４を周方向に沿って起伏させながら内側ひさし部材３に対して間欠的に縫合することで、内側ひさし部材３と外側ひさし部材４との間に複数の通気路９を設けているので、通気路を形成するために布帛を複雑な形状に加工する必要はなく、簡単な工程で帽子を製造することができる。
【００２５】
より具体的には、上述の帽子を製造するにあたって、先ず、環状の内側ひさし部材３と環状の外側ひさし部材４をそれぞれ個別に縫製する（図６参照）。そして、外側ひさし部材４をその一部が内側ひさし部材３と重なるように配置し、外側ひさし部材４を周方向に沿って起伏させながら内側ひさし部材３に対して間欠的に縫合することにより、ひさし部２に複数の通気路９を設けることができる。そのため、通気路９を形成するにあたって、内側ひさし部材３及び外側ひさし部材４を構成する布帛を複雑な形状に加工する必要はない。なお、クラウン部１に対してひさし部２の内側ひさし部材３を縫合する作業は、内側ひさし部材３と外側ひさし部材４とを縫合する作業の前後いずれに行っても良い。
【００２６】
上述した帽子においては、外側ひさし部材４を周方向に沿って起伏させながら内側ひさし部材３に対して間欠的に縫合する一方で、外側ひさし部材４を支持する内側ひさし部材３は周方向に沿って起伏させることなく平坦に延在させているので、内側ひさし部材３をより安定した構造とし、帽子の型崩れを効果的に防止することができる。
【００２７】
また、上述した帽子においては、図５に示すように、外側ひさし部材４をその一部が内側ひさし部材３の上側に重なるように配置しているので、ひさし部２の下側に回り込んだ風を通気路９を介して円滑に通過させることができる。
【００２８】
更に、上述した帽子においては、外側ひさし部材４の外縁部には弾性モノフィラメントからなる更に他の保形リング７を挿入しているので、外側ひさし部材４の形状を安定化すると共に、風を通気路９に向かって効果的に案内することができる。但し、保形リング７は必ずしも必要ではない。
【００２９】
上述した実施形態では外側ひさし部材を周方向に沿って起伏させながら内側ひさし部材に対して間欠的に縫合した場合について説明したが、本発明では内側ひさし部材を周方向に沿って起伏させながら外側ひさし部材に対して間欠的に縫合することも可能である。内側ひさし部材を起伏させた場合も、帽子の離脱防止機能を確保しつつ、型崩れ防止効果と製造容易性を享受することができる。
【００３０】
また、上述した実施形態では外側ひさし部材をその一部が内側ひさし部材の上側に重なるように配置した場合について説明したが、本発明では外側ひさし部材をその一部が内側ひさし部材の下側に重なるように配置することも可能である。外側ひさし部材を内側ひさし部材の下側に配置した場合も、帽子の離脱防止機能を確保しつつ、型崩れ防止効果と製造容易性を享受することができる。
【符号の説明】
【００３１】
１  クラウン部
２  ひさし部
３  内側ひさし部材
４  外側ひさし部材
５，６，７  保形リング
８  縫合部
９  通気路
【図１】
2016211122.tif 000003
【図２】
2016211122.tif 000004
【図３】
2016211122.tif 000005
【図４】
2016211122.tif 000006
【図５】
2016211122.tif 000007
【図６】
2016211122.tif 000008